(57)【要約】【課題】使い勝手の良い電気掃除機用吸込具を提供する。【解決手段】延長管（図示せず）などの吸込管１６に取付け可能な接続管２を有するとともに、接続管２を軸として回動可能に取り付けられた略円筒状の吸込具本体１を有し、吸込具本体１の内部は吸込具本体仕切リブ８によりその円筒断面の流路を略２分割されており、第１の流路９は吸込具本体１の先端部吸込口４に連通され、第２の流路１０は吸込具本体１の側面部吸込口５に連通され、かつ接続管２の流路には、吸込具本体１への接続側に円筒断面の略１／２のみ吸込管１６側と連通されるよう接続管仕切リブ１３が設けられ、接続管２と吸込具本体１の接続部を略半回転させることにより、先端部吸込口４と側面部吸込口５とを選択的に切り替えるもので、接続管２を略半回転させるだけで、先端部吸込口４と側面部吸込口５とが簡単に切り替えられる。【選択図】図５
2017131489.tif 000002
【特許請求の範囲】
【請求項１】
電気掃除機のホースまたは延長管などの吸込管に取付け可能な接続管を有するとともに、前記接続管を軸として回動可能に取り付けられた略円筒状の吸込具本体を有し、前記吸込具本体の内部は第１仕切リブによりその円筒断面の流路を略２分割されており、第１の流路は前記吸込具本体の先端部吸込口に連通され、第２の流路は前記吸込具本体の側面部吸込口に連通され、かつ前記接続管の流路には、前記吸込具本体への接続側において円筒断面の略１／２のみ前記吸込管側と連通されるよう第２仕切リブが設けられ、前記接続管と前記吸込具本体の接続部を略半回転させることにより、前記先端部吸込口と前記側面部吸込口とを選択的に切り替えることを特徴とする電気掃除機用吸込具。
【請求項２】
接続管と吸込具本体の互いの中心軸が平行ではなく角度を持ち、略「く」の字状に接続されることを特徴とする請求項１に記載の電気掃除機用吸込具。
【請求項３】
接続管は樹脂の弾性などにより揺動可能な凸形状の係止用凸形状を有し、吸込具本体の接続管と接続される円筒部の側面２箇所に前記係止用凸形状が嵌る第１の位置決め孔及び第２の位置決め孔を設け、前記各位置決め孔は第１の流路および第２の流路が選択的に接続されるよう配置されることを特徴とする請求項１または２に記載の電気掃除機用吸込具。
【請求項４】
吸込具本体の先端部吸込口周辺に、刷毛などから形成され塵埃を除去するための手段を設けたことを特徴とする請求項１〜３のいずれか１項に記載の電気掃除機用吸込具。
【請求項５】
側面部吸込口周辺に、起毛布などから形成され塵埃を除去するための手段を設けたことを特徴とする請求項１〜４のいずれか１項に記載の電気掃除機用吸込具。
【発明の詳細な説明】
【技術分野】
【０００１】
本発明は、電気掃除機の延長管などの先端に接続されて使用される電気掃除機用吸込具に関するものである。
【背景技術】
【０００２】
従来のこの種の電気掃除機用吸込具として、長方形に開放した吸込部と、その一端に開閉自在なケースの一部を設置し、各吸込口への流路を仕切り板などにより切替えることで、広い面からの吸引とブラシ先端部からの吸引を切替え可能としたものが提案されていた（例えば、特許文献１参照）。
【先行技術文献】
【特許文献】
【０００３】
【特許文献１】特開２００８−１３６５８２号公報
【発明の概要】
【発明が解決しようとする課題】
【０００４】
しかしながら、上記従来の電気掃除機用吸込具の構成では、構造が複雑で故障しやすく、切替え操作も複雑で煩わしいという課題があった。
【０００５】
本発明は、上記従来の課題を解決するもので、掃除場所に最適な吸込口に簡単に切り替えて使用することができ、塵、埃等の取り残しを防止することができる電気掃除機用吸込具を提供することを目的とする。
【課題を解決するための手段】
【０００６】
前記従来の課題を解決するために、本発明の吸込具は、電気掃除機のホースまたは延長管などの吸込管に取付け可能な接続管を有するとともに、前記接続管を軸として回動可能に取り付けられた略円筒状の吸込具本体を有し、前記吸込具本体の内部は第１仕切リブによりその円筒断面の流路を略２分割されており、第１の流路は前記吸込具本体の先端部吸込口に連通され、第２の流路は前記吸込具本体の側面部吸込口に連通され、かつ前記接続管の流路には、前記吸込具本体への接続側において円筒断面の略１／２のみ前記吸込管側と連通されるよう第２仕切リブが設けられ、前記接続管と前記吸込具本体の接続部を略半回転させることにより、前記先端部吸込口と前記側面部吸込口とを選択的に切り替えるもので、接続管と吸込具本体の接続部を略半回転させるだけで、先端部吸込口と側面部吸込口とを選択的に切り替えることが可能となり使い勝手の良い電気掃除機用吸込具を提供することができる。
【発明の効果】
【０００７】
本発明の電気掃除機用吸込具は、簡便な流路切替え構造とし、吸込具本体を接続管に対して回動することにより、掃除場所に最適な吸込口に簡単に切り替えて使用することができ、塵、埃等の取り残しを防止することができる。
【図面の簡単な説明】
【０００８】
【図１】本発明の実施の形態１における電気掃除機用吸込具の斜視図
【図２】同電気掃除機用吸込具の斜視図
【図３】同電気掃除機用吸込具の吸込具本体の斜視図
【図４】同電気掃除機用吸込具の接続管の斜視図
【図５】同電気掃除機用吸込具の側面吸引状態を示す右側面からの中央断面図
【図６】同電気掃除機用吸込具の底面からの斜視図
【図７】同電気掃除機用吸込具の先端吸引状態を示す左側面からの中央断面図
【発明を実施するための形態】
【０００９】
第１の発明は、電気掃除機のホースまたは延長管などの吸込管に取付け可能な接続管を有するとともに、前記接続管を軸として回動可能に取り付けられた略円筒状の吸込具本体を有し、前記吸込具本体の内部は第１仕切リブによりその円筒断面の流路を略２分割されており、第１の流路は前記吸込具本体の先端部吸込口に連通され、第２の流路は前記吸込具本体の側面部吸込口に連通され、かつ前記接続管の流路には、前記吸込具本体への接続側において円筒断面の略１／２のみ前記吸込管側と連通されるよう第２仕切リブが設けられ、前記接続管と前記吸込具本体の接続部を略半回転させることにより、前記先端部吸込口と前記側面部吸込口とを選択的に切り替えるもので、接続管と吸込具本体の接続部を略半回転させるだけで、先端部吸込口と側面部吸込口とを選択的に切り替えることが可能となり使い勝手の良い電気掃除機用吸込具を提供することができる。
【００１０】
第２の発明は、特に、第１の発明の接続管と吸込具本体の互いの中心軸が平行ではなく角度を持ち、略「く」の字状に接続されるようにしたもので、吸込具本体の側面部吸込口により棚などを掃除する際には吸込管を保持している手が棚に当たらず、狭い場所に対しては棚上の置物などに手が当たらず掃除することが可能となる。
【００１１】
第３の発明は、特に、第１または第２の発明の接続管は樹脂の弾性などにより揺動可能な凸形状の係止用凸形状を有し、吸込具本体の前記接続管と接続される円筒部の側面２箇所に前記係止用凸形状が嵌る第１の位置決め孔及び第２の位置決め孔を設け、前記各位置決め孔は、第１の流路および第２の流路が選択的に接続されるよう配置されたもので、各流路が選択的に接続され、かつ掃除中に吸込具本体が吸込管に対してふらつくのを防止することができる。
【００１２】
第４の発明は、特に、第１〜３のいずれか一つの発明の吸込具本体の先端部吸込口周辺に、刷毛などから形成され塵埃を除去するための手段を設けたもので、先端部吸込口の使用時において、角、隅や狭い場所に対し塵埃除去性能を向上することができる。
【００１３】
第５の発明は、特に、第１〜４のいずれか一つの発明の側面部吸込口周辺に、起毛布などから形成され塵埃を除去するための手段を設けたもので、側面部吸込口の使用時に、棚や机の上面などの広い面に対し塵埃除去性能と作業効率を向上させることができる。
【００１４】
以下、本発明の実施の形態について、図面を参照しながら説明する。なお、この実施の形態によって本発明が限定されるものではない。
【００１５】
（実施の形態１）
本発明の実施の形態１について、図１〜図７を用いて説明する。図１は、本発明の実施の形態１における電気掃除機用吸込具の斜視図（側面吸引時）、図２は、同電気掃除機用吸込具の斜視図（先端吸引時）、図３は、同電気掃除機用吸込具の吸込具本体の斜視図、図４は、同電気掃除機用吸込具の接続管の斜視図、図５は、同電気掃除機用吸込具の右側面からの中央断面図（側面吸引時）、図６は、同電気掃除機用吸込具の底面からの斜視図（側面吸引時）、図７は、同電気掃除機用吸込具の左側面からの中央断面図（先端吸引時）である。
【００１６】
図１に示すように、本発明の電気掃除機用吸込具２０は、吸込具本体１と、ホース（図示せず）や延長管（図示せず）といった吸込管に接続するための接続管２から構成されている。吸込具本体１と接続管２は円筒状の形状で回動可能となっており、係止用凸形状３
により回動方向と軸方向に固定されている。また、吸込具本体１の先端には先端部吸込口４が設けられ、その先端部吸込口４の周辺には塵埃を清掃面から払い落とすための刷毛６が設けられている。
【００１７】
図２は、先端吸引状態を表す斜視図である。吸込具本体１の側面（図２では上面にあたる面）に側面部吸込口５が複数設けられており、その間に起毛布７が設けられている。
【００１８】
図３のように、吸込具本体１は接続管２が接続される円筒部１５の中央に吸込具本体部仕切りリブ８が設けられ、吸込具本体１内の流路が２分割されている。吸込具本体１の先端に繋がる流路を第１の流路９とし、吸込具本体１の側面に繋がる流路を第２の流路１０とする。また、接続管２が接続される円筒部１５には、係止用凸形状３が係止されるための第１の位置決め孔１１、第２の位置決め孔１２がそれぞれ設けられている。
【００１９】
図４のように、接続管２には係止用凸形状３が樹脂の弾性を利用し揺動する形で設けられており、吸込具本体１に接続する側の円筒断面にはその断面を略１／２に分割する位置に片側の流路を閉じるように接続管部仕切りリブ１３が設けられ、第３の流路１４を形成している。
【００２０】
以上のように構成された本実施の形態における電気掃除機用吸込具について、以下、図５〜図７を用いて、その動作と作用を説明する。
【００２１】
図５に示すように、吸込具本体１に接続された接続管２を回動させ、係止用凸形状３が第１の位置決め孔１１に嵌合する位置に合わせることで、第２の流路１０と第３の流路１４が連通し、結果として側面部吸込口５のみが吸込管と連通するため、電気掃除機（図示せず）の吸引により、側面部吸込口５から塵埃を吸引することができる。
【００２２】
また、接続管２と吸込具本体１の互いの中心軸が平行ではなく角度を持ち、略「く」の字状に接続されているため、吸込具本体１の側面部吸込口５により棚などを掃除する際には吸込管１６を保持している手が棚に当たらず掃除することが可能となる。
【００２３】
なお、図６のように、吸込具本体１の中間に直線状の起毛布７ａを設け、その両側に側面部吸込口５ａ、５ｂを設けることで、左右どちらの方向からの塵埃も起毛布７ａで集め吸引することができる。また、起毛布７は略Ｔ字形状となっており、起毛布幅広部７ｂは傷つきを防止するとともに、吸込具本体１が清掃面に対して傾くのを防止することで、側面部吸込口５と被清掃面の距離を一定に保ち最適な吸引を与えることができる。また中央の直線状の起毛布７ａの端部と起毛布幅広部７ｂの端部間に起毛布斜め部７ｃを形成することで、塵埃を側面部吸込口５へと誘導する効果が得られる。
【００２４】
次に図７に示すように、吸込具本体１に対し接続管２を略半回転させ係止用凸形状３が第２の位置決め孔１２に嵌合することで第１の流路９と第３の流路１４が連通し、結果として先端部吸込口４のみが吸込管１６と連通するため、電気掃除機の吸引により吸込具本体１の先端から塵埃を吸引することができる。また、接続管２と吸込具本体１の互いの中心軸が角度を持ち接続されているため、狭い場所に対しては棚上の置物などに手が当たらず掃除することが可能となる。
【産業上の利用可能性】
【００２５】
以上のように、本発明に係る電気掃除機用吸込具は、簡単な操作で複数の吸込口を切替えることができ掃除範囲の拡大を実現することが可能となるため、家庭用電気掃除機及び産業用電気掃除機の分野・用途に適用することができる。
【符号の説明】
【００２６】
１  吸込具本体
２  接続管
３  係止用凸形状
４  先端部吸込口
５、５ａ、５ｂ  側面部吸込口
６  刷毛（手段）
７、７ａ  起毛布（手段）
７ｂ  起毛布幅広部
７ｃ  起毛布斜め部
８  吸込具本体部仕切りリブ（第１仕切りリブ）
９  第１の流路
１０  第２の流路
１１  第１の位置決め孔
１２  第２の位置決め孔
１３  接続管部仕切りリブ（第２仕切りリブ）
１４  第３の流路
１５  円筒部
１６  吸込管
２０  電気掃除機用吸込具
【図１】
2017131489.tif 000003
【図２】
2017131489.tif 000004
【図３】
2017131489.tif 000005
【図４】
2017131489.tif 000006
【図５】
2017131489.tif 000007
【図６】
2017131489.tif 000008
【図７】
2017131489.tif 000009